(57)【要約】【課題】  操作手段に対する操作に関し使い勝手の向上を図る。【解決手段】  表示部２を装置本体３に対して一対のヒンジ部９、９を介して装置本体を閉塞する閉塞位置と装置本体を開放する開放位置との間で回動可能とし、一対のヒンジ部間に、操作されることにより所定の機能を実行する操作手段１８、１８、・・・を配置し、表示部の開放位置と閉塞位置の双方の位置において操作手段に対する操作を可能とした。【選択図】図２
2006079265.tif 000002
【特許請求の範囲】
【請求項１】
表示画面に画像を表示する表示部と所定の処理を行う装置本体とを備え、表示部が装置本体に対して一対のヒンジ部を介して回動自在に支持された情報処理装置であって、
表示部を装置本体に対して一対のヒンジ部を介して装置本体を閉塞する閉塞位置と装置本体を開放する開放位置との間で回動可能とし、
上記一対のヒンジ部間に、操作されることにより所定の機能を実行する操作手段を配置し、
上記表示部の開放位置と閉塞位置の双方の位置において、上記操作手段に対する操作を可能とした
ことを特徴とする情報処理装置。
【請求項２】
上記一対のヒンジ部間にバッテリーが装着されるバッテリー装着部を設け、
上記操作手段をバッテリー装着部に配置し、
上記バッテリーはバッテリーケースと該バッテリーケース内に配置された電池及び制御回路基板とを有し、
該制御回路基板をバッテリーケースの一方の側に寄せた状態で配置し、
バッテリーがバッテリー装着部に装着されたときに、上記操作手段がバッテリーケースの他方の側に対応して位置されるようにした
ことを特徴とする請求項１に記載の情報処理装置。
【請求項３】
上記操作手段を複数設けると共に該複数の操作手段を一対のヒンジ部を結ぶ方向に配列し、
複数の操作手段の配列方向において電源の投入状態を表示する電源ランプを配置した
ことを特徴とする請求項１に記載の情報処理装置。
【発明の詳細な説明】
【技術分野】
【０００１】
本発明は情報処理装置についての技術分野に関する。詳しくは、装置本体に対して表示部が回動可能に支持された情報処理装置において、使い勝手の向上を図る技術分野に関する。
【背景技術】
【０００２】
パーソナルコンピューター、ＰＤＡ（Personal Digital Assistant）、携帯電話等の情報処理装置には、表示画面を有する表示部が所定の処理を行う装置本体に回動自在に支持され、該装置本体に操作手段として複数の操作釦が配置されているものがある（例えば、特許文献１参照）。
【０００３】
このような情報処理装置にあっては、表示部は装置本体を閉塞する閉塞位置と装置本体を開放する開放位置との間を回動可能とされている。
【０００４】
【特許文献１】特開２００３−２５６１１６号公報
【発明の開示】
【発明が解決しようとする課題】
【０００５】
ところで、近年、情報処理装置はその機能が多様化しており、表示部の表示画面に表示される画像を見ながら行う作業の他、例えば、音楽プレーヤーとして使用する場合のように、表示部を必要としない状態で使用することもある。
【０００６】
ところが、上記した従来の情報処理装置にあっては、表示部が装置本体を閉塞する閉塞位置にある状態においては、装置本体に設けられた各操作釦が閉塞されてしまうため、各操作釦に対する操作は表示部が開放されている状態に限定されてしまう。
【０００７】
従って、表示部を必要としない状態で情報処理装置を使用しようとする場合においても、一旦、表示部を開放してから操作釦に対する操作を行わなければならず、使い勝手が悪い面があった。
【０００８】
一方、表示部を必要としない状態で情報処理機器を使用する場合に操作する操作釦を、装置本体の側面や前面、即ち、表示部によって閉塞されない位置に配置した情報処理装置も存在するが、このような情報処理装置にあっては、操作釦の位置が装置本体の側面や前面という操作し難い位置であるという不都合があった。
【０００９】
そこで、本発明情報処理装置は、上記した問題点を克服し、操作手段に対する操作に関し、使い勝手の向上を図ることを課題とする。
【課題を解決するための手段】
【００１０】
本発明情報処理装置は、上記した課題を解決するために、表示部を装置本体に対して一対のヒンジ部を介して装置本体を閉塞する閉塞位置と装置本体を開放する開放位置との間で回動可能とし、上記一対のヒンジ部間に、操作されることにより所定の機能を実行する操作手段を配置し、上記表示部の開放位置と閉塞位置の双方の位置において、上記操作手段に対する操作を可能としたものである。
【００１１】
従って、本発明情報処理装置にあっては、表示部の開閉位置に拘わらず、操作手段が操作可能な位置に存在する。
【発明の効果】
【００１２】
本発明情報処理装置は、表示画面に画像を表示する表示部と所定の処理を行う装置本体とを備え、表示部が装置本体に対して一対のヒンジ部を介して回動自在に支持された情報処理装置であって、表示部を装置本体に対して一対のヒンジ部を介して装置本体を閉塞する閉塞位置と装置本体を開放する開放位置との間で回動可能とし、上記一対のヒンジ部間に、操作されることにより所定の機能を実行する操作手段を配置し、上記表示部の開放位置と閉塞位置の双方の位置において、上記操作手段に対する操作を可能としたことを特徴とする。
【００１３】
従って、表示部を必要としない該表示部を閉塞した状態及び表示部を必要とする該表示部を開放した状態の双方の状態において操作手段に対する操作を行うことができ、使い勝手の向上を図ることができる。
【００１４】
また、一対のヒンジ部間に操作手段を配置しているため、使用者にとって操作手段が操作し易い位置にあり、該操作手段に対する操作を行い易いという利点がある。
【００１５】
さらに、表示部が開放位置にあるときと閉塞位置にあるときとで同一の機能を有する操作手段を各別に設ける必要がなく、その分、操作手段の配置スペースが少なくて済み、情報処理装置の小型化を図ることができる。
【００１６】
請求項２に記載した発明にあっては、上記一対のヒンジ部間にバッテリーが装着されるバッテリー装着部を設け、上記操作手段をバッテリー装着部に配置し、上記バッテリーはバッテリーケースと該バッテリーケース内に配置された電池及び制御回路基板とを有し、該制御回路基板をバッテリーケースの一方の側に寄せた状態で配置し、バッテリーがバッテリー装着部に装着されたときに、上記操作手段がバッテリーケースの他方の側に対応して位置されるようにしたので、操作手段の十分な配置スペースを確保することができ、情報処理装置の大型化を来たすことなく操作手段を所望の位置に配置することができる。
【００１７】
請求項３に記載した発明にあっては、上記操作手段を複数設けると共に該複数の操作手段を一対のヒンジ部を結ぶ方向に配列し、複数の操作手段の配列方向において電源の投入状態を表示する電源ランプを配置したので、表示部の開閉位置に拘わらず、電源の投入状態を確認して操作手段に対する操作を速やかに行うことができる。
【発明を実施するための最良の形態】
【００１８】
以下に、本発明情報処理装置を添付図面に従って説明する。以下に示す最良の形態は、本発明情報処理装置をパーソナルコンピューターに適用したものである。尚、本発明の適用範囲はパーソナルコンピューターに限られることはなく、本発明は、例えば、ＰＤＡ（Personal Digital Assistant）、ネットワーク端末、携帯情報端末、ワークステーション等の各種の情報処理装置に適用することができる。
【００１９】
情報処理装置１は表示部２と装置本体３とを備えている（図１参照）。
【００２０】
表示部２は表示用筐体４と該表示用筐体４に配置された表示画面５とを有している。表示用筐体４は、外形が略矩形状に形成された枠状を為すフロントパネル６と、外形が略矩形状に形成されフロントパネル６側に開口された浅い箱状を為すリアパネル７とが結合されて成り、表示用筐体４の外周側の部分が枠部８として設けられている。
【００２１】
表示部２は装置本体３の後端部において、軸方向が左右方向とされたヒンジ部９、９を介して回動自在に支持されている。表示部２は装置本体３の後述するキーボードを閉塞する閉塞位置（図２参照）とキーボードを開放する開放位置（図１参照）との間で回動可能とされ、表示部２が開放されたときに装置本体３に設けられたキーボードの使用が可能とされる。
【００２２】
ヒンジ部９、９は左右に離隔し、それぞれ装置本体３の左端寄りの位置と右端寄りの位置とに設けられている。
【００２３】
装置本体３の上面部３ａには、図１に示すように、その前後両端部を除いた部分に横長のキーボード１０が設けられ、該キーボード１０は複数の所定の操作キー１１、１１、・・・を有している。装置本体３の内部にはＣＰＵ（中央演算処理装置）等の処理手段が設けられており、キーボード１０の操作キー１１、１１、・・・等に対する操作によって入力された信号についての各処理が行われる。
【００２４】
装置本体３の上面部３ａの前端部には、ポインティングデバイス１２が配置されている。ポインティングデバイス１２に任意の方向へ指で力を加えて操作することにより、表示画面５に表示されるポインタを操作方向に応じた任意の方向へ移動させることができる。
【００２５】
ポインティングデバイス１２の前側の位置にはマウスの各釦に相当する左釦１３及び右釦１４が配置されている。
【００２６】
装置本体３の側面部３ｂにはドライブカバー１５が配置されており、該ドライブカバー１５には取出釦１５ａが設けられている。取出釦１５ａを操作することにより、装置本体３の内部に配置された図示しないディスクドライブ部がドライブカバー１５とともに装置本体３内から引き出される。
【００２７】
ディスクドライブ部にディスク状記録媒体を装着し、ディスクドライブ部を装置本体３内に収納すると、装着したディスク状記録媒体に対する情報信号の記録又は再生が可能とされる。
【００２８】
装置本体３の後端部は上方へ突出されており、この上方へ突出された部分のうちヒンジ部９、９間の部分がバッテリー装着部１６として設けられている。バッテリー装着部１６は後方に開口されている。
【００２９】
バッテリー装着部１６には、その左端側に左右に並んでインジケーター１７、１７、・・・が設けられ、右端側に左右に並んで操作手段１８、１８、・・・が設けられている。
【００３０】
インジケーター１７、１７、・・・は、例えば、バッテリーの充電状態、ディスクドライブ部等の使用状態、操作キー１１、１１、・・・の入力モード状態等を示す機能を有する。
【００３１】
操作手段１８、１８、・・・は、例えば、押圧操作される操作釦であり、例えば、ディスクドライブ部に関する機能を実行させるための釦である。操作手段１８、１８、・・・は、例えば、再生釦、停止釦、一時停止釦、早送り釦、早戻し釦、音量変更釦等としての機能を有する。
【００３２】
操作手段１８、１８、・・・はバッテリー装着部１６の上端側に配置されている（図３及び図４参照）。操作手段１８、１８、・・・は、表示部２が閉塞された閉塞位置において表示部２の直ぐ後側に位置され（図２及び図４参照）、表示部２が開放された開放位置において表示部２の直ぐ前側に位置される（図１及び図３参照）。従って、使用者は、表示部２が閉塞位置にある状態及び開放位置にある状態の双方の状態において、操作手段１８、１８、・・・に対する操作が可能とされる（図３及び図４参照）。
【００３３】
右側に位置するヒンジ部９の直ぐ右側の位置、即ち、操作手段１８、１８、・・・の右方には電源ランプ１９が配置されている。電源ランプ１９は、情報処理装置１に電源が投入されているときには点灯され、情報処理装置１に電源が投入されていないときには消灯されている。
【００３４】
このように電源ランプ１９はバッテリー装着部１６における操作手段１８、１８、・・・の並び方向に位置されているため、使用者は、表示部２が閉塞位置にある状態及び開放位置にある状態の双方の状態において、電源ランプ１９の表示状態を確認することができる（図１及び図２参照）。
【００３５】
また、上記のように、電源ランプ１９を操作手段１８、１８、・・・の並び方向に位置させることにより、表示部２の開閉位置に拘わらず、電源の投入状態を確認して操作手段１８、１８、・・・に対する操作を速やかに行うことができる。
【００３６】
装置本体３のバッテリー装着部１６には、その後方から挿入されるようにしてバッテリー２０が装着される（図３乃至図５参照）。バッテリー２０は、図６に示すように、バッテリーケース２１と該バッテリーケース２１内に配置された図示しない電池及び制御回路基板２２とを有している。
【００３７】
バッテリー２０の左端部の前面にはコネクター部２３が設けられている。コネクター部２３は、バッテリー２０がバッテリー装着部１６に装着された状態において、装置本体３の図示しない接続コネクターと接続される。
【００３８】
バッテリーケース２１は、前側に位置する第１の電池収納部２１ａと、その後側に位置する第２の電池収納部２１ｂと、第１の電池収納部２１ａの上面から上方へ稍突出した状態で設けられた基板配置部２１ｃとを有している。
【００３９】
第１の電池収納部２１ａ及び第２の電池収納部２１ｂは左右に長く形成され、内部にそれぞれ直列状態で配置された、例えば、３つずつの電池が収納されている。
【００４０】
基板配置部２１ｃは左右に長い扁平な形状に形成され、第１の電池収納部２１ａの左端側に寄った状態で設けられている。従って、第１の電池収納部２１ａの上面側には、基板配置部２１ｃの右側に凹部２１ｄが形成されている。
【００４１】
バッテリー２０がバッテリー装着部１６に装着された状態においては、第１の電池収納部２１ａ及び基板配置部２１ｃがバッテリー装着部１６内に挿入され、第２の電池収納部２１ｂは装置本体３から後方へ突出される（図３乃至図５参照）。このとき、バッテリー装着部１６のうち操作手段１８、１８、・・・が配置された部分は、バッテリー２０の凹部２１ｄに嵌合されるようにして配置される。
【００４２】
このように情報処理装置１にあっては、バッテリー２０に凹部２１ｄを形成し、該凹部２１ｄに操作手段１８、１８、・・・を配置するようにしているので、操作手段１８、１８、・・・の十分な配置スペースを確保することができ、情報処理装置１の大型化を来たすことなく操作手段１８、１８、・・・を所望の位置に配置することができる。
【００４３】
また、一般に、バッテリーの電池は、例えば、その一部がキーボード１０や表示部２と重なった状態で配置される場合が多いが、上記のように、一部の電池が収納される第２の電池収納部２１ｂを装置本体３から後方へ突出させることにより、情報処理装置１の厚みが厚くなることがなく、情報処理装置１の薄型化を図ることができる。
【００４４】
さらに、バッテリー２０の一部を装置本体３から後方へ突出させることにより、電池の数を減らすことなく情報処理装置１の薄型化を図ることができ、十分なバッテリー容量を確保することができると共に情報処理装置１の薄型化を図ることができる。
【００４５】
以上に記載した通り、情報処理装置１にあっては、一対のヒンジ部９、９間に操作手段１８、１８、・・・を配置し、表示部２の開閉位置に拘わらず操作手段１８、１８、・・・に対する操作を可能としているため、表示部２を必要としない該表示部２を閉塞した状態及び表示部２を必要とする該表示部２を開放した状態の双方の状態において操作手段１８、１８、・・・に対する操作を行うことができ、使い勝手の向上を図ることができる。
【００４６】
また、一対のヒンジ部９、９間に操作手段１８、１８、・・・を配置しているため、使用者にとって操作手段１８、１８、・・・が操作し易い位置にあり、該操作手段１８、１８、・・・に対する操作を行い易いという利点もある。
【００４７】
さらに、表示部２が開放位置にあるときと閉塞位置にあるときとで同一の機能を有する操作手段を各別に設ける必要がなく、その分、操作手段の配置スペースが少なくて済み、情報処理装置１の小型化を図ることができる。
【００４８】
尚、上記には、操作手段１８、１８、・・・の例として、ディスクドライブ部に関する機能を実行させるための操作釦である場合を示したが、操作手段１８、１８、・・・は、表示部２の開閉位置に拘わらず使用する操作手段であれば任意であり、例えば、他の通信機器等との間でワイヤレス接続するための操作釦等であってもよい。
【００４９】
また、操作手段１８、１８、・・・は押圧操作される操作釦に限られることはなく、例えば、スライドスイッチ、タッチセンサー等の接触型のスイッチ、リモコン操作によって操作される非接触型のスイッチ等であってもよい。
【００５０】
さらに、操作手段１８、１８、・・・の配置位置はバッテリー装着部１６の右端側の部分に限られることはなく、バッテリー装着部１６の中央部や左端側の部分等であってもよく、また、左右両側等に分かれて配置されていてもよい。
【００５１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５２】
【図１】図２乃至図６と共に本発明情報処理装置の最良の形態を示すものであり、本図は、表示部が開放位置にあるときの状態を示す情報処理装置の斜視図である。
【図２】表示部が閉塞位置にあるときの状態を示す情報処理装置の斜視図である。
【図３】表示部が開放位置にあるときの状態を示す情報処理装置の側面図である。
【図４】表示部が閉塞位置にあるときの状態を示す情報処理装置の側面図である。
【図５】情報処理装置の底面図である。
【図６】バッテリーの拡大斜視図である。
【符号の説明】
【００５３】
１…情報処理装置、２…装置本体、３…表示部、９…ヒンジ部、１６…バッテリー装着部、１８…操作手段、１９…電源ランプ、２０…バッテリー、２２…制御回路基板
【図１】
2006079265.tif 000003
【図２】
2006079265.tif 000004
【図３】
2006079265.tif 000005
【図４】
2006079265.tif 000006
【図５】
2006079265.tif 000007
【図６】
2006079265.tif 000008